(57)【要約】【課題】  膨張機によるエネルギー回収を行うとともに圧縮機における消費エネルギーの低減を併せ行うことにより、全体として効率向上を行った冷凍サイクル装置を提供すること。【解決手段】  低段側圧縮機１と高段側圧縮機２とからなる２段圧縮装置３と、高圧ガス冷媒を冷却する放熱器４と、放熱器４で冷却された後の高圧冷媒を膨張させる膨張機５を含む減圧装置と、減圧装置により減圧された低圧冷媒を蒸発させる蒸発器８と、減圧装置で減圧された中間圧ガス冷媒を高段側圧縮機２の吸入側に導入するガスインジェクション回路１０とを備え、前記膨張機５と低段側圧縮機１とを同軸で連結している。【選択図】      図１
2006071257.tif 000002
【特許請求の範囲】
【請求項１】
低段側圧縮機と高段側圧縮機とからなる２段圧縮装置と、高圧ガス冷媒を冷却する放熱器と、放熱器で冷却された後の高圧冷媒を膨張させる膨張機を含む減圧装置と、減圧装置により減圧された低圧冷媒を蒸発させる蒸発器と、減圧装置で減圧された中間圧ガス冷媒を高段側圧縮機の吸入側に導入するガスインジェクション回路とを備え、前記膨張機と低段側圧縮機とは同軸で連結されていることを特徴とする冷凍サイクル装置。
【請求項２】
請求項１において、中間圧冷媒を気液分離する気液分離器が設けられ、前記減圧装置は、放熱器出口側と気液分離器との間に接続されて、放熱器で冷却された後の高圧冷媒を中間圧まで膨張させる膨張機と、気液分離器の液部分と蒸発器入口側との間に接続された、気液分離器で気液分離された中間圧液冷媒を低圧まで減圧する絞り装置とを有し、前記ガスインジェクション回路は、気液分離器のガス部分と高段側圧縮機の吸入側とを連絡するように接続されてなることを特徴とする冷凍サイクル装置。
【請求項３】
請求項１において、高圧冷媒を流通させる高圧側経路と中間圧冷媒を流通させる中間圧側経路とが熱交換可能に構成されてなる熱交換器が設けられ、この熱交換器の高圧側経路の入口側は、放熱器の出口側に接続され、前記減圧装置は、放熱器の出口側と熱交換器の中間圧側経路の入口側との間に接続された、放熱器で冷却された後の高圧冷媒の一部を中間圧まで減圧する絞り装置と、熱交換器の高圧側経路の出口側と蒸発器の入口側との間に接続された、放熱器及び熱交換器で冷却された後の残部の高圧冷媒を低圧まで膨張させる膨張機とを有し、前記ガスインジェクション回路は、熱交換器の中間圧側経路の出口側と高段側圧縮機の吸入側との間に接続されてなることを特徴とする冷凍サイクル装置。
【請求項４】
前記減圧装置は、膨張機をバイパスするバイパス回路を有し、このバイパス回路には流量制御弁が設けられていることを特徴とする請求項１〜３の何れか１項に記載の冷凍サイクル装置。
【請求項５】
前記低段側圧縮機は、容量可変型圧縮機に構成されていることを特徴とする請求項１〜３の何れか１項に記載の冷凍サイクル装置。
【請求項６】
前記低段側圧縮機は、容量可変型斜板式圧縮機であることを特徴とする請求項５記載の冷凍サイクル装置。
【請求項７】
前記低段側圧縮機と膨張機とが隔壁を介して一つのケーシング内に収納され、さらに、低段側圧縮機の収納された室内がアキュムレータとして兼用されていることを特徴とする請求項１〜６の何れか１項に記載の冷凍サイクル装置。
【請求項８】
前記低段側圧縮機と膨張機とが隔壁を介して一つのケーシング内に収納され、さらに、低段側圧縮機の収納された室内がアキュムレータとして兼用されるとともに、前記膨張機を収納する室が気液分離器として兼用されていることを特徴とする請求項２記載の冷凍サイクル装置。
【請求項９】
請求項１〜８の何れか１項において、冷媒として二酸化炭素が使用されていることを特徴とする冷凍サイクル装置。
【請求項１０】
請求項９において、低段側圧縮機の吸入側に冷媒回路内の冷媒量を調節可能とする容積に形成されたアキュムレータを備えてなることを特徴とする冷凍サイクル装置。
【請求項１１】
前記膨張機は、非容積型膨張機であることを特徴とする請求項１〜１０の何れか1項に記載の冷凍サイクル装置。
【請求項１２】
前記低段側圧縮機は、起動時の負荷を軽減できる負荷軽減装置を備えた容積型圧縮機であることを特徴とする請求項１１記載の冷凍サイクル装置。
【発明の詳細な説明】
【技術分野】
【０００１】
本発明は、エネルギー回収用の膨張機を備えた冷凍サイクル装置に関する。
【背景技術】
【０００２】
近年、冷媒による地球環境破壊の問題からＨＦＣ３２、ＨＦＣ３２を含む混合冷媒などの代替フロンや二酸化炭素、アンモニアなどの自然冷媒が使用されつつある。ところがこのような冷媒を用いた冷凍サイクル装置では高低圧力差が大きくなることから、従来のフロンを冷媒として用いた冷凍サイクル装置に比し成績係数（ＣＯＰ）が低いという問題があった。特に、実用化段階を向かえた二酸化炭素を用いる冷凍サイクル装置に関して、冷媒を高圧から低圧に減圧する減圧工程中に膨張機を設けることによりエネルギーを回収し、回収したエネルギーを圧縮機の動力に利用して、冷凍サイクル装置のＣＯＰを改善しようとする試みが多く成されている。
【０００３】
このエネルギー回収型の冷凍サイクル装置の基本冷凍サイクルは、例えば、特許文献１の図６に記載されているように、従来一般の冷媒回路における減圧工程の部分に略等エントロピー膨張を行う容積型膨張機を設け、この膨張機と圧縮機とを同軸で連結することにより、膨張機で回収したエネルギーを圧縮機の動力として利用するものである。このような特許文献１の図６に記載されている冷凍サイクル装置を以下従来技術１という。ところが、この従来技術１の場合は、圧縮機を流通する冷媒の質量循環量と膨張機を循環する冷媒の質量循環量が等しくなければならず、一方、両者を通過する体積循環量は、それぞれ「シリンダ容積×回転数」で決定されることから、次式に示される密度比一定の制約が課せられる。
【０００４】
ＤＥ／ＤＣ＝ＶＣ／ＶＥ＝一定
ここに、ＤＥ：膨張機に吸入される吸入ガス冷媒の密度
ＤＣ：圧縮機に吸入される吸入ガス冷媒の密度
ＶＥ：膨張機に吸入される冷媒の体積循環量
ＶＣ：圧縮機に吸入される冷媒の体積循環量
上式において、ＶＣ及びＶＥは冷凍サイクル装置固有の値であるので、ＶＣ／ＶＥは一定値である。
【０００５】
また、この冷凍サイクル装置を運転した場合は、特許文献１の段落番号００１１、段落番号００１２及び図７に記載されているように、運転条件により低圧が低下した場合に、モリエル線図上のサイクルの形状が横長四角状から縦長四角状に変化し、運転効率が低下する。このため、上記のようにエネルギー回収用膨張機を備えていても効率の向上を図ることが困難になってくるという問題があった。
【０００６】
この従来技術１における問題を解決したのが特許文献１の出願発明（特許文献１の図１〜４参照）である。以下特許文献１の出願発明を従来技術２という。この従来技術２は、特許文献１の図１に記載されているように、膨張機と並列に、流量制御弁を介在させたバイパス回路を設けている。そして、従来技術２は、特許文献１の段落番号００２３、段落番号００２４及び図２に示すように、運転条件の変化に対応してバイパス回路を流通する冷媒流量を調節することにより、膨張機を通過する冷媒流量を調節し、密度比一定という冷凍サイクル上の制約を解消して効率の向上を行っている。
【特許文献１】特開２００１−１１６３７１号公報
【発明の開示】
【発明が解決しようとする課題】
【０００７】
ところで、この従来技術１及び従来技術２では、高圧冷媒全てを、膨張機又は絞り機構を通過させて低圧まで変化させており、このときの冷媒を等エントロピー変化させる膨張機を使用してエネルギー回収している。しかしながら、膨張機におけるエネルギーの回収効率は、特に実用化研究が活発に行われている二酸化炭素を冷媒に使用した冷凍サイクル装置では、あまり大きくないのが実態である。このため、更なる効率改善が要望されている。
【０００８】
本発明は、このような背景に基づきなされたものであって、膨張機によるエネルギー回収を行うとともに圧縮機における消費エネルギーの低減を併せ行うことにより、全体として効率向上を行った冷凍サイクル装置を提供することを目的とする。
【課題を解決するための手段】
【０００９】
本発明に係る冷凍サイクル装置は上記課題を解決するためになされたものであって、第１の発明は、低段側圧縮機と高段側圧縮機とからなる２段圧縮装置と、高圧ガス冷媒を冷却する放熱器と、放熱器で冷却された後の高圧冷媒を膨張させる膨張機を含む減圧装置と、減圧装置により減圧された低圧冷媒を蒸発させる蒸発器と、減圧装置で減圧された中間圧ガス冷媒を高段側圧縮の吸入側に導入するガスインジェクション回路とを備え、前記膨張機と低段側圧縮機とは同軸で連結されていることを特徴とする。
【００１０】
また、第２の発明は、第１の発明において、中間圧冷媒を気液分離する気液分離器が設けられ、前記減圧装置は、放熱器出口側と気液分離器との間に接続されて、放熱器で冷却された後の高圧冷媒を中間圧まで膨張させる膨張機と、気液分離器の液部分と蒸発器入口側との間に接続された、気液分離器で気液分離された中間圧液冷媒を低圧まで減圧する絞り装置とを有し、前記ガスインジェクション回路は、気液分離器のガス部分と高段側圧縮機の吸入側とを連通するように接続されてなることを特徴とする。
【００１１】
また、第３の発明は、第１の発明において、高圧冷媒を流通させる高圧側経路と中間圧冷媒を流通させる中間圧側経路とが熱交換可能に構成されてなる熱交換器が設けられ、この熱交換器の高圧側経路の入口側は、放熱器の出口側に接続され、前記減圧装置は、放熱器の出口側と熱交換器の中間圧側経路の入口側との間に接続された、放熱器で冷却された後の高圧冷媒の一部を中間圧まで減圧する絞り装置と、熱交換器の高圧側経路の出口側と蒸発器の入口側との間に接続された、放熱器及び熱交換器で冷却された後の残部の高圧冷媒を低圧まで膨張させる膨張機とを有し、前記ガスインジェクション回路は、熱交換器の中間圧側経路の出口側と高段側圧縮機の吸入側との間に接続されてなることを特徴とする。
【００１２】
また、第４の発明は、第１〜第３の何れかの発明において、前記減圧装置は、膨張機をバイパスするバイパス回路を有し、このバイパス回路には流量制御弁が設けられていることを特徴とする。
【００１３】
また、第５の発明は、第１〜第３の何れかの発明において、前記低段側圧縮機は、容量可変型圧縮機に構成されていることを特徴とする。
また、第６の発明は、第５の発明において、前記低段側圧縮機は、容量可変型斜板式圧縮機であることを特徴とする。
【００１４】
また、第７の発明は、第２の発明において、前記低段側圧縮機は容量可変型斜板式圧縮機とされ、この低段側圧縮機と膨張機とは、隔壁を介して一つのケーシング内に上下に収納され、かつ、低段側圧縮機を収納する室内がアキュムレータを兼用するように構成されていることを特徴とする。
【００１５】
また、第８の発明は、第２の発明において、前記膨張機を収納する室が気液分離器として兼用されていることを特徴とする。
また、第９の発明は、第１〜８の何れかの発明において、冷媒として二酸化炭素が使用されていることを特徴とする。
【００１６】
また、第１０の発明は、第９の発明において、低段側圧縮機の吸入側に冷媒回路内の冷媒量を調節可能とする容積に形成されたアキュムレータを備えてなることを特徴とする。
また、第１１の発明は、第１〜１０の何れかの発明において、膨張機が非容積型膨張機であることを特徴とする。
【００１７】
また、第１２の発明は、第１１の発明において、低段側圧縮機は、起動時の負荷を軽減できる負荷軽減装置を備えた容積型圧縮機であることを特徴とする。
【発明の効果】
【００１８】
第１の発明に係る冷凍サイクル装置によれば、中間圧ガス冷媒を高段側圧縮機の吸入側に導入するガスインジェクション回路を設けているので、従来技術１及び２に比較し高圧ガス冷媒を減圧する膨張機において回収するエネルギーが減少するが、２段圧縮装置における圧縮仕事量が減少する。また、従来技術におけるエネルギー回収効率はあまり大きくない。このような要因により、本発明は、圧縮装置におけるエネルギー消費量を低減させることにより、エネルギー効率を向上させることができる。
【００１９】
また、第２の発明によれば、放熱器出口側と気液分離器との間に放熱器で冷却された後の高圧冷媒を中間圧まで膨張させる膨張機が設けられ、膨張機で減圧された中間圧冷媒が気液分離器で気液分離される。そして、気液分離器で分離された中間圧ガス冷媒はガスインジェクション回路により高段側圧縮機に導入される。また、気液分離器から蒸発器に至る減圧工程には、膨張機が設けられていないで絞り装置しか設けられていない。このため、気液分離器から蒸発器に至る減圧工程には膨張機がない分だけ膨張機によるエネルギー回収量は減少する。しかし、高段側圧縮機の吸入側に導入する中間圧ガス冷媒分の低段側圧縮機での圧縮仕事が減少するためエネルギー効率が向上する。
【００２０】
また、第３の発明によれば、第１の発明において、高圧冷媒を流通させる高圧側経路と中間圧冷媒を流通させる中間圧側経路とが熱交換可能に構成されてなる熱交換器が設けられ、放熱器の出口側と熱交換器の中間圧側経路の入口側との間に、放熱器で冷却された後の高圧冷媒の一部を中間圧まで減圧する絞り装置が設けられているので、放熱器で冷却された後の冷媒の一部が減圧する絞り装置により気液混合の中間圧ガス冷媒に減圧される。さらに、この気液混合の中間圧ガス冷媒と放熱器で冷却された残部の高圧ガス冷媒とを熱交換させて高圧ガス冷媒を冷却するため、膨張機を経由して蒸発器に流通させる冷媒のエンタルピーを小さくすることができ、冷凍サイクルにおける効率を改善することができる。また、熱交換器の高圧側経路の出口側と蒸発器の入口側との間に、放熱器及び熱交換器で冷却された後の残部の高圧冷媒を低圧まで膨張させる膨張機を設けているので、膨張機でエネルギーが回収される。この場合、膨張機で回収されるエネルギーは、従来技術１及び２の場合に比し小さくなる。これは、ガスインジェクション回路を通じて中間圧ガス冷媒が高段側圧縮機に流通するためである。しかし、熱交換器を介して高段側圧縮機に導入される冷媒循環量分の低段側圧縮機における圧縮仕事量が減少するため、エネルギー効率は改善される。
【００２１】
また、第４の発明によれば、第１〜第３の何れかの発明において、膨張機をバイパスするバイパス回路を設け、このバイパス回路に流量制御弁を設けているので、この流量制御弁の開度を調節してバイパス回路の冷媒循環量を制御することにより、膨張機に流入する冷媒の密度と圧縮機に流入する冷媒の密度との比を一定に保持しなければならないという密度比一定の制約から解放され、モリエル線図が非効率的な縦長の線図になることを防止することができる。
【００２２】
また、第５の発明によれば、第１〜３の何れかの発明において、低段側圧縮機は、容量可変型圧縮機とされているので、運転条件の変化に対応して圧縮機の吸入側の密度比を調節することが可能となり、膨張機に流入する冷媒の密度と圧縮機に流入する冷媒の密度との比を一定に保持しなければならないという密度比一定の制約から解放され、モリエル線図が非効率的な縦長の線図になることを防止することができる。
【００２３】
また、第６の発明によれば、第５の発明において、低段側圧縮機が容量可変型斜板式圧縮機とされているので、圧縮機に吸入する冷媒の体積冷媒循環量を無段階に調節することが可能になり、膨張機に流入する冷媒の密度と圧縮機に流入する冷媒の密度との比により制約されることがないので、より一層エネルギー効率を向上させることができる。
【００２４】
また、第７の発明によれば、第１〜６の何れかの発明において、低段側圧縮機と膨張機とが隔壁を介して一つのケーシング内に収納され、さらに、低段側圧縮機の収納された室内がアキュムレータとして兼用されているので、低段側圧縮機１、膨張機５及びアキュムレータを個別に製作して取り付ける場合に比し、機器がコンパクトになるとともに、アキュムレータを接続する配管が簡素化される。
【００２５】
また、第８の発明によれば、第２の発明において、前記低段側圧縮機と膨張機とが隔壁を介して一つのケーシング内に収納され、さらに、低段側圧縮機の収納された室内がアキュムレータとして兼用されるとともに、前記膨張機を収納する室が気液分離器として兼用されているので、低段側圧縮機、膨張機、気液分離器及びアキュムレータを個別に製作して取り付ける場合に比し機器がコンパクトになるとともに、これら機器を接続する配管が簡素化される。
【００２６】
また、第９の発明によれば、第１〜第８の何れかの発明において、冷媒として二酸化炭素を使用するので、フロンで指摘されているオゾン層の破壊、地球温暖化といった問題がなくなる。また、可燃性や毒性もないことから取り扱い上も危険がない。
【００２７】
また、第１０の発明によれば、第９の発明において、低段側圧縮機の吸入側に冷媒回路内の冷媒量を調節可能とする容積に形成されたアキュムレータを設けているので、冷媒として二酸化炭素を使用する冷凍サイクル装置における必要冷媒充填量の変化をこのアキュムレータで調節することが可能となる。なお、冷媒として二酸化炭素を使用する冷凍サイクル装置においては超臨界冷凍サイクルに形成されるので、高圧側での冷媒量調節が困難であるが、アキュムレータを上記のように形成することによりこの問題を解決することができる。
【００２８】
また、第１１の発明によれば、第１〜１０の何れかの発明において、膨張機を非容積型膨張機としているので、膨張機の起動負荷を軽減させることができる。この結果、膨張機と低段側圧縮機との組み合わせ起動負荷が軽減され、駆動用電動機を用いずに膨張機のみで低段側圧縮機を駆動することが可能となる。
【００２９】
また、第１２の発明によれば、第１１の発明において、低段側圧縮機を、起動時の負荷を軽減できる負荷軽減装置を備えた容積型圧縮機としているので、より一層膨張機と低段側圧縮機との組み合わせ起動負荷を軽減することができる。この結果、低段側圧縮機として小中容量の用途に最適の、スクロール型圧縮機やロータリ型圧縮機などの容積型圧縮機を使用しながら、駆動用電動機を用いずに膨張機のみで低段側の容積型圧縮機を駆動することが可能となる。
【発明を実施するための最良の形態】
【００３０】
（実施の形態１）
以下に、本発明を具体化した実施の形態１に係る冷凍サイクル装置の構成を図１及び図２に基づいて説明する。なお、図１は実施の形態１に係る冷凍サイクル装置の冷媒回路図であり、図２は同冷凍サイクル装置のモリエル線図である。
【００３１】
実施の形態１に係る冷凍サイクル装置は、低段側圧縮機１と高段側圧縮機２とからなる２段圧縮装置３、高圧ガス冷媒を冷却する放熱器４、放熱器４で冷却された高圧冷媒を中間圧まで減圧する膨張機５、膨張機５で減圧された中間圧冷媒を気液分離する気液分離器６、気液分離器６の液部と蒸発器８との間に接続された絞り装置７、絞り装置７で減圧された低圧冷媒を蒸発気化させる蒸発器８、蒸発器８と低段側圧縮機１の吸入側との間に接続されたアキュムレータ９、気液分離器６のガス部と高段側圧縮機２の吸入側とを連通するガスインジェクション回路１０、膨張機５と並列に接続されたバイパス回路１１などから構成されている。
【００３２】
上記冷凍サイクル装置において、低段側圧縮機１及び高段側圧縮機２はロータリ圧縮機のような容量一定の圧縮機である。そして、低段側圧縮機１と膨張機５とは同軸に連結されている。また、ガスインジェクション回路１０には開閉弁１２が設けられ、この開閉弁の開度を調節することによりガスインジェクション回路１０の流量を適切に設定するようにしてもよい。なお、この開閉弁１２を流量設定に使用しないのであれば、この開閉弁１２を省略してもよい。また、バイパス回路１１には流量制御弁１３が設けられている。この流量制御弁１３は低段側圧縮機１の吸入圧力により開度制御するように構成されており、低圧が上がれば流量制御弁１３の開度を大きくするように制御されている。なお、上記実施の形態１の冷凍サイクル装置においては、膨張機５と絞り装置７とが本発明にいう減圧装置を構成する。また、このように構成された冷凍サイクル装置には、冷媒としてＨＦＣ３２又はＨＦＣ３２などの通常の冷凍サイクルを形成する冷媒（超臨界冷凍サイクルを形成しない冷媒）が充填されているものとする。
【００３３】
上記構成の冷凍サイクル装置の動作を、図２を用いて説明する。なお、説明文中、図２の符合に対応する状態には括弧を付して図２の符号を記載する。低段側圧縮機１から吐出された吐出ガス（ａ１）は、気液分離器６からガスインジェクション回路１０を経由して高段側圧縮機２の吸入側に導入された中間圧ガス冷媒（ａ８）と混合して（ａ２）、高段側圧縮機２に吸入される。高段側圧縮機２から吐出された高圧ガス冷媒（ａ３）は放熱器４で冷却される（ａ４）。放熱器４で冷却された高圧冷媒は膨張機５により略等エントロピー変化の減圧作用を受けて中間圧まで減圧される（ａ５）。このとき、膨張機５と低段側圧縮機１とが同軸に接続されていることにより、膨張機５により回収されたエネルギーが低段側圧縮機１を回転するのに消費されるエネルギーとして利用される。
【００３４】
中間圧まで減圧された冷媒（ａ５）は気液分離器６で気液分離される。分離されたガス冷媒（ａ８）は前述のように高段側圧縮機２の吸入側に導入されて低段側圧縮機１の吐出ガス（ａ１）と混合される（ａ２）。一方、気液分離器６で分離された液冷媒（ａ７）は、絞り装置７により減圧されて低圧冷媒（ａ８）となる。この低圧冷媒は蒸発器８で蒸発気化され（ａ９）、アキュムレータ９を経由して低段側圧縮機１に吸入される。このアキュムレータ９は、低段側圧縮機１の吸入側に未蒸発の液冷媒が流れてきた場合に、この液冷媒を分離して貯留することにより、低段側圧縮機１における液圧縮を防止するものである。
【００３５】
また、上記冷凍サイクル装置においては、蒸発温度を運転許容範囲における最低温度（例えば−３５℃）とした場合に、バイパス回路１１の流量制御弁１３の開度を最少（つまり閉鎖状態）としておくことで、密度比一定の制約を満たすようにする。そして、蒸発器８の蒸発負荷が増大して低段側圧縮機１の吸入圧力の増加とともに高段側圧縮機２の吸入圧力が上昇した場合に、その増加に対応して流量制御弁１３の開度を大きくしてバイパス回路１１の冷媒循環量を増大させるように制御する。これにより、放熱器４で冷却された高圧冷媒のうち膨張機５を通過させない余剰冷媒を、バイパス回路１１を通じて気液分離器６に流す。このとき、この高圧冷媒は流量制御弁１３により中間圧まで減圧される（ａ６）。そして、前述の膨張機５を介して気液分離器６に流されてきた中間圧冷媒と混合し、気液分離器６で気液分離される。
【００３６】
上記構成の実施の形態１によれば、膨張機５と並列に流量制御弁１３を備えたバイパス回路１１を設け、蒸発温度の上昇に対応してバイパス量を増加するように制御することにより密度比一定の制約から解放されるので、モリエル線図が非効率的な縦長の線図になることを防止することができ、効率を向上することができる。
【００３７】
また、実施の形態１に係る冷凍サイクル装置によれば、中間圧ガス冷媒を高段側圧縮機２の吸入側に導入するガスインジェクション回路１０を設けているので、従来技術１及び２に比較し高圧ガス冷媒を減圧する膨張機５における回収エネルギーが減少するが、２段圧縮装置３における圧縮仕事量が従来技術１及び２よりも減少する。また、膨張機５によるエネルギー回収効率が低いことから、膨張機５による回収エネルギーの減少よりも２段圧縮装置３における圧縮エネルギーの減少量のほうが大きくなる結果、従来技術１及び２より効率が改善される。図３はこの結果を示した例である。
【００３８】
図３は、実施の形態１の冷凍サイクル装置を冷凍装置（又は冷房装置）とした場合において、蒸発温度の変化に対応する冷凍（又は冷房）ＣＯＰ比を、前述の従来技術２と比較できるように示している。この場合における冷凍（又は冷房）ＣＯＰ比とは、膨張機５によるエネルギー回収を行わない古くからある一般的な冷凍装置（又は冷房装置）の各蒸発温度における冷凍（又は冷房）ＣＯＰに対する、実施の形態１及び後記する実施の形態２及び３の同ＣＯＰの比で表したものである。この図に示すように、蒸発温度が低いときは高段側圧縮機２の吸入圧力も低くなり、バイパス回路１１からバイパスされる冷媒量が減少するので、膨張機５によるエネルギー回収量が多くなりＣＯＰ比が大きくなる。また、従来技術２と比較すると、膨張機５による回収エネルギーの減少よりも２段圧縮装置３における圧縮エネルギーの減少量が大きくなる結果、従来技術２の冷凍（又は冷房）ＣＯＰ比に対し実施の形態１の冷凍（又は冷房）ＣＯＰ比が大きくなっている。
【００３９】
（実施の形態２）
次に、実施の形態２について、図４に基づき説明する。図４は実施の形態２に係る冷凍サイクル装置の冷媒回路図である。この図には実施の形態１と同一の個所には同一の符号を付してその説明を簡略化する。
【００４０】
実施の形態２は、実施の形態１において、低段側圧縮機１を容量可変型として、流量制御弁１３を備えたバイパス回路１１、及びガスインジェクション回路１０中の開閉弁１２を除去したものである。また、低段側圧縮機１と膨張機５とは同一ケーシング２１内に収納し、このケーシング２１内を隔壁２２により上下に分離し、上部を低段側圧縮機１が収納された圧縮機室２３とし、下部を膨張機５が収納された膨張機室２４としている。また、アキュムレータ９の出口側が圧縮機室２３内に直接接続され、低段側圧縮機１はこの圧縮機室２３内の冷媒を吸入するように構成している。また、実施の形態２の冷凍サイクル装置におけるモリエル線図は、基本的には実施の形態１と同様のモリエル線図で表すことができるが、図２と一部で異なる。すなわち、実施の形態２ではバイパス回路１１が省略されているので、実施の形態２のモリエル線図は、図２において、流量制御弁１３による略等エンタルピー変化（ａ４→ａ６）を示す破線部分を省略した線図となる。なお、前述の容量可変型の低段側圧縮機１として容量可変型の斜板式圧縮機を用いている。
【００４１】
また、容量可変型の低段側圧縮機１は次のように設定され、制御される。すなわち、蒸発温度を運転許容範囲における最低温度（例えば−３５℃）とした場合に、低段側圧縮機１の回転数が最大となるように設定することで、密度比一定の制約を満たすようにする。そして、蒸発器８の蒸発負荷が増大して低段側圧縮機１の吸入圧力の上昇に伴って高段側圧縮機２の吸入圧力が上昇した場合に、その増加に対応して低段側圧縮機１の容量を減少するように制御している。
【００４２】
上記構成の実施の形態２によれば、低段側圧縮機１を容量可変型圧縮機として、運転条件の変化に対応して低段側圧縮機１の能力を制御することにより密度比一定の制約から解放されるので、モリエル線図が非効率的な縦長の線図になることを防止することができる。また、実施の形態１の場合のように膨張機をバイパスして密度比一定の制約から解放されるものに較べて、低段側圧縮機の容量を制御することで、より一層の効率改善を図ることができる。
【００４３】
また、上記実施の形態２によれば、実施の形態１の場合と同様に、中間圧ガス冷媒を高段側圧縮機２の吸入側に導入するガスインジェクション回路１０から中間圧ガス冷媒が高段側圧縮機２の吸入側にバイパスされることにより、従来技術１及び２のように、高圧冷媒を全量低圧まで減圧するものに比し、効率が改善される。
【００４４】
また、上記実施の形態２によれば、低段側圧縮機１が容量可変型斜板式圧縮機とされているので、膨張機５に流入する冷媒の密度比と高段側圧縮機２に流入する冷媒の密度比とを無段階に調節することが可能となり、より一層エネルギー効率を向上させることができる。図２の線図は、上記効果を総合した結果を示すものであって、従来技術２及び実施の形態１に比し、ＣＯＰ比が高くなっている。
【００４５】
（実施の形態３）
次に、実施の形態３について、図５に基づき説明する。図５は実施の形態３に係る冷凍サイクル装置の冷媒回路図である。この図には実施の形態２と同一に個所には同一の符号を付してその説明を簡略化する。
【００４６】
実施の形態３は、実施の形態２において、低段側圧縮機１と、気液分離器６と、アキュムレータ９とを一体化したものである。すなわち、実施の形態３においては、実施の形態２における圧縮機室２３の下部をアキュムレータに兼用している。このために、蒸発器８の出口側を直接圧縮機室２３に接続するとともに、低段側圧縮機１は圧縮機室２３内の冷媒を直接吸入するように構成している。これにより、蒸発器８から液冷媒が戻ってきた場合は圧縮機室２３の下部、つまり隔壁２２の上方に液冷媒が貯留されることにより、圧縮機室２３がアキュムレータ兼用とされている。
【００４７】
また、実施の形態３においては、膨張機室２４が気液分離器に兼用されている。このために、膨張機５の出口側を膨張機室２４内に開放するとともに、膨張機室２４の下部を蒸発器８に絞り装置７を介し接続している。この結果、膨張機５を通過した中間圧冷媒が圧縮機室２３内に放出される。そして、圧縮機室２３の空間内で重力差により気液混合の中間圧冷媒が気液分離される。また、分離された液冷媒は、絞り装置７を介して蒸発器８に流出される。なお、実施の形態３のモリエル線図は、実施の形態２の場合と同様である。したがって、図３に示すように蒸発温度の変化に対するエネルギー効率は実施の形態２と同一となる。
【００４８】
上記のように構成される実施の形態３によれば、実施の形態と同一の低段側圧縮機１と膨張機５とが隔壁２２を介して一つのケーシング２１内に収納され、さらに、低段側圧縮機１の収納された圧縮機室２３内がアキュムレータとして兼用されているので、低段側圧縮機１、膨張機５及びアキュムレータを個別に製作して取り付ける場合に比し、機器がコンパクトになるとともに、アキュムレータを接続する配管が簡素化される。
【００４９】
また、実施の形態３によれば、さらに、前記膨張機５を収納した膨張機室２４が気液分離器として兼用されているので、低段側圧縮機、膨張機、気液分離器及びアキュムレータを個別に製作して取り付ける場合に比し機器がコンパクトになるとともに、これら機器を接続する配管が簡素化される。
【００５０】
（実施の形態４）
次に、実施の形態４に係る冷凍サイクル装置の構成を図６及び図７に基づいて説明する。なお、図６は実施の形態４に係る冷凍サイクル装置の冷媒回路図であり、図７は同冷凍サイクル装置のモリエル線図である。なお、実施の形態１の図１と同一の部分には同一の符号を付し説明を簡略化する。
【００５１】
実施の形態４に係る冷凍サイクル装置は、低段側圧縮機１と高段側圧縮機２とからなる２段圧縮装置３、高圧ガス冷媒を冷却する放熱器４、放熱器４で冷却された高圧冷媒の一部を略等エンタルピー変化させて減圧する絞り装置３１、絞り装置３１を通過した中間圧冷媒と残部の高圧冷媒とを熱交換させる熱交換器３２、熱交換器３２で冷却された中間圧冷媒を低圧まで減圧する膨張機３３、膨張機３３で減圧された低圧冷媒を蒸発気化させる蒸発器８、蒸発器８と低段側圧縮機１の吸入側との間に接続されたアキュムレータ９などから構成されている。なお、熱交換器３２は、絞り装置３１を通過した中間圧冷媒と残部の高圧冷媒とを熱交換させるために、高圧冷媒を流通させる高圧側経路３２ａと中間圧冷媒を流通させる中間圧側経路３２ｂとが熱交換可能に構成されている。そして、熱交換器３２の高圧側経路３２ａの入口側は放熱器４の出口側に接続され、高圧側経路３２ａの出口側は膨張機３３に接続されている。また、中間圧側経路３２ｂの入口側は絞り装置３１に接続され、中間圧側経路３２ｂの出口側はガスインジェクション回路３４により高段側圧縮機２の吸入側に接続されている。
【００５２】
また、上記冷凍サイクル装置において、低段側圧縮機１は実施の形態２の場合と同様に、容量可変型の斜板式圧縮機であり、高段側圧縮機２はロータリ圧縮機のような容量一定の圧縮機である。そして、低段側圧縮機１と膨張機３３とは同軸に連結されている。また、冷媒としてＨＦＣ３２又はＨＦＣ３２などの通常の冷凍サイクルを形成する冷媒（超臨界冷凍サイクルを形成しない冷媒）が充填されているものとする。
【００５３】
上記構成の冷凍サイクル装置の動作を、図６を用いて説明する。なお、説明文中、図６の符合に対応する状態には括弧を付して図６の符号を記載する。低段側圧縮機１から吐出された吐出ガス（ｂ１）は、熱交換器３２からの中間圧ガス冷媒（ｂ９）と混合して（ｂ２）、高段側圧縮機２に吸入される。高段側圧縮機２から吐出された高圧ガス冷媒（ｂ３）は放熱器４で冷却される（ｂ４）。放熱器４で冷却された一部の高圧冷媒（ｂ４）は絞り装置３１により略等エンタルピー変化の減圧作用を受けて中間圧まで減圧される（ｂ８）。減圧された冷媒（ｂ８）は、熱交換器３２で残部の高圧冷媒と熱交換して気化し（ｂ９）、低段側圧縮機１からの吐出ガス（ｂ１）と混合して（ｂ２）、高段側圧縮機２の吸入側に導入される。
【００５４】
一方、熱交換器３２で冷却された高圧冷媒（ｂ５）は、膨張機３３により略等エントロピー変化を受けて低圧まで減圧される（ｂ６）。このとき、膨張機３３と低段側圧縮機１とが同軸に接続されていることにより、膨張機３３により回収されたエネルギーが低段側圧縮機１を回転するためのエネルギーとして利用される。低圧冷媒（ｂ６）は、蒸発器８で蒸発気化して（ｂ７）、低段側圧縮機１に吸入される。
【００５５】
また、容量可変型の低段側圧縮機１は、実施の形態２の場合と同様に設定され、制御される。すなわち、蒸発温度を運転許容範囲における最低温度（例えば−３５℃）とした場合に、低段側圧縮機１の回転数が最大となるように設定することで、密度比一定の制約を満たすようにする。そして、蒸発器８の蒸発負荷が増大して高段側圧縮機２の吸入圧力が上昇した場合に、その増加に対応して低段側圧縮機１の容量を減少するように制御している。
【００５６】
上記構成の実施の形態４によれば、低段側圧縮機１が容量可変型斜板式圧縮機とされているので、運転条件の変化に対応して圧縮機の吸入側の密度比を調節することが可能となり、モリエル線図が非効率的な縦長の線図になることを防止することができる。また、実施の形態１の場合のように膨張機をバイパスして密度比一定の制約を解除するものに較べて、低段側圧縮機１の容量を制御することで、より一層の効率改善を図ることができる。
【００５７】
また、上記実施の形態４によれば、放熱器４で冷却された一部の高圧冷媒を絞り装置３１で中間圧まで減圧し、この減圧した気液混合の冷媒と、残部の高圧冷媒とを熱交換器３２で熱交換させているので、膨張機３３を経由して蒸発器８に流通させる冷媒のエンタルピーを小さくすることができ、冷凍サイクル上の効率を改善することができる。
【００５８】
また、熱交換器３２の高圧側経路の出口側と蒸発器８の入口側との間に、放熱器４及び熱交換器３２で冷却された後の残部の高圧冷媒を低圧まで膨張させる膨張機３３を設けているので、膨張機３３でエネルギーが回収される。この場合、膨張機３３で回収されるエネルギーは、ガスインジェクション回路３４を通じて中間圧ガス冷媒が高段側圧縮機２に流通するため、その分従来技術１及び２の場合に比し小さくなるが、熱交換器３２を介して高段側圧縮機２に導入される冷媒循環量分だけ低段側圧縮機１における圧縮仕事量が減少するため、エネルギー効率が改善される。
【００５９】
また、上記実施の形態４によれば、低段側圧縮機１を容量可変型圧縮機として、運転条件の変化に対応して低段側圧縮機１の能力を制御することにより密度比一定の制約から解放されるので、モリエル線図が非効率的な縦長の線図になることを防止することができる。
【００６０】
なお、この実施の形態４については、図３において、蒸発温度の変化に対するＣＯＰ比の変化を特に示していないが、実施の形態２及び３と同等のＣＯＰ比を得ており、従来技術２及び実施の形態１に比し高効率の運転を行うことができる。
【００６１】
（実施の形態５）
次に実施の形態５について説明する。実施の形態５は、図示しないが、実施の形態１の冷媒回路を備え、冷媒として二酸化炭素を使用した冷凍サイクル装置である。また、放熱器４において水を加熱して温水を得て、この温水を給湯又は暖房に使用するようにしたものである。なお、この場合のモリエル線図は、図２のようなサイクルではあるが、超臨界サイクルとなり、高段側圧縮機２出口の吐出ガス及び放熱器４で冷却された高圧冷媒は、何れも臨界点以上の圧力の高圧ガス冷媒となる。したがって、この実施の形態５においては、高圧側回路には液冷媒の存在する余地がないので、アキュムレータ９で冷媒量が調節される。このために、アキュムレータ９の大きさを、余剰冷媒を貯留可能とする大きさに設定している。
【００６２】
したがって、実施の形態５の冷凍サイクル装置によれば、放熱器４で加熱された温水を給湯又は暖房に使用することにより、高温の給湯水又は高温の吹き出し空気を得ることができる。また、二酸化炭素を冷媒として使用した冷凍サイクル装置としては、従来に比し大幅な効率の改善を行うことができる。図８は、実施の形態５の冷凍サイクル装置において、放熱器４出口の温水温度の変化（間接的には、高圧の変化）に対する給湯（又は暖房）ＣＯＰ比の効果を示している。この場合における給湯（又は暖房）ＣＯＰ比とは、膨張機５によるエネルギー回収を行わない古くからある一般的な冷凍サイクル装置を応用した給湯装置（又は暖房装置）の凝縮器出口の温水温度が変化した場合の給湯（又は暖房）ＣＯＰに対する、実施の形態５の同ＣＯＰの比を表したものである。この図に示すように、放熱器４出口の温水温度が低いときは（つまり高圧圧力が低いときは）、高段側圧縮機２の吸入圧力も低くなり、バイパス回路１１からバイパスされる冷媒量が減少するので、膨張機５によるエネルギー回収量が多くなり給湯（又は暖房）ＣＯＰ比が大きくなる。また、従来技術２と比較すると、膨張機５による回収エネルギーの減少よりも２段圧縮装置３における圧縮エネルギーの減少量のほうが大きくなる結果が、従来技術２の給湯（又は暖房）ＣＯＰに対し実施の形態５の給湯（又は暖房）ＣＯＰ比が大きくなる。
【００６３】
（実施の形態６）
次に、実施の形態６に係る冷凍サイクル装置の構成を図９に基づいて説明する。
図９は実施の形態６に係る冷凍サイクル装置の冷媒回路図であって、実施の形態１に係る図１と同一の部分には同一の符号を付し説明を簡略化する。
【００６４】
実施の形態６に係る冷凍サイクル装置は、実施の形態１において、膨張機５として非容積型のタービン型膨張機を用い、低段側圧縮機１として非容積型のタービン型圧縮機を用いたものであって、冷媒回路自体は実施の形態１と同一である。なお、図９では、膨張機５がタービン型膨張機であり、低段側圧縮機１がタービン型圧縮機であることを模式的に図示している。
【００６５】
このような実施の形態６によれば、実施の形態１に記載の効果を奏することができるとともに、膨張機５を非容積型膨張機としているので、膨張機５の起動負荷を軽減させることができ、膨張機５と低段側圧縮機１との組み合わせ起動負荷を軽減することができる。また、この実施の形態６によれば、低段側圧縮機１としてタービン型圧縮機を用いているので、容積型圧縮機を用いる場合に比し、低段側圧縮機１の起動負荷を軽減し、惹いては、膨張機５と低段側圧縮機１との組み合わせ起動負荷をより一層軽減することができる。
【００６６】
（変形例）
上記各実施の形態は、以下のように変形して適用することも可能である。
（１）  実施の形態２〜４及び６において、実施の形態５と同様に冷媒として二酸化炭素を使用することができる。この場合は、実施の形態５において説明したように冷凍サイクルは超臨界サイクルとなる。
（２）  実施の形態２〜４においては、容量可変の低段側圧縮機１として容量可変の斜板式圧縮機を用いているが、これに限定されるものではなく、インバータ駆動のロータリ式圧縮機など他の容量可変方法を用いた他形式の圧縮機としてもよい。
（３）  実施の形態３においては、低段側圧縮機１、アキュムレータ９、膨張機５及び気液分離器６が一体化されているが、これら全てを一体化する必要はなく任意の何れかを一体化して、機器構成及び機器接続配管の簡素化を行ってもよい。
（４）  実施の形態２〜４においては、一つのケーシング内を隔壁により上下に区画し、上方の室に低段側圧縮機１を収納し、下方に膨張機５、３３を収納しているが、この構成に限定されるものではなく、一つのケーシングを横方向に区画し、低段側圧縮機１と膨張機５、３３を横方向に並べて配置するようにしてもよい。また、上方の室に膨張機５、３３を配置し、下方に低段側圧縮機１を配置してもよい。
（５）  実施の形態４において、低段側圧縮機１を容量可変型圧縮機とせずに、容量固定圧縮機とし、実施の形態１の場合と同様に膨張機３３と並列に、流量制御弁を備えたバイパス回路を設け、高段側圧縮機の吸入圧力の上昇に応じて流量制御弁の開度を増大させるように制御してもよい。
（６）  絞り装置７、３１としては電動膨張弁、キャピラリーチューブ、感温式膨張弁など種々のものを使用することができる。
（７）  実施の形態２〜５において、膨張機５或いは低段側圧縮機１として実施の形態６のような非容積型のタービン型膨張機を用いてもよい。この場合、実施の形態６に記載したように膨張機５と低段側圧縮機１との組み合わせ起動負荷を軽減することができる。
（８）  実施の形態１〜６において、膨張機５或いは低段側圧縮機１として、他の非容積型膨張機を用いてもよい。
（９）  実施の形態１〜５において、膨張機５或いは低段側圧縮機１として容積型の膨張機、例えば、ロータリー型、スクロール型、スクリュウ型、ベーン型、斜板型、バンケル型、ヘリカル型を用いてもよい。また、膨張機５或いは低段側圧縮機１として、定流量型である歯車型、ルーツ型、ねじ型を用いてもよい。
（１０）  実施の形態１〜５において、低段側圧縮機１として起動時の負荷を軽減できる起動負荷軽減装置を備えた容積型圧縮機を用い、低段側圧縮機１の起動負荷を軽減するようにしてもよい。このようにすれば、中小容量に最適な上述のような容積型圧縮機を使用しながら、駆動用電動機を用いずに膨張機５のみで低段側圧縮機１を起動させることが可能になる。この場合に適用し得る起動負荷軽減装置は、例えば、起動時の回転数を減速させる方式、吸入容積を減少させる方式など一般的なものでよい。なお、この場合において、膨張機としてタービン型等の非容積型膨張機を用いればさらに起動負荷を軽減することができる。
【図面の簡単な説明】
【００６７】
【図１】実施の形態１に係る冷凍サイクル装置の冷媒回路図である。
【図２】同冷凍サイクル装置のモリエル線図である。
【図３】実施の形態１に係る冷凍サイクル装置における冷凍（又は冷房）ＣＯＰ比線図である。
【図４】実施の形態２に係る冷凍サイクル装置の冷媒回路図である。
【図５】実施の形態３に係る冷凍サイクル装置の冷媒回路図である。
【図６】実施の形態４に係る冷凍サイクル装置の冷媒回路図である。
【図７】同冷凍サイクル装置のモリエル線図である。
【図８】実施の形態５に係る冷凍サイクル装置における給湯（又は暖房）ＣＯＰ比線図である。
【図９】実施の形態６に係る冷凍サイクル装置の冷媒回路図である。
【符号の説明】
【００６８】
１  低段側圧縮機
２  高段側圧縮機
３  ２段圧縮装置
４  放熱器
５  膨張機
６  気液分離器
７  絞り装置
８  蒸発器
９  アキュムレータ
１０  ガスインジェクション回路
１１  バイパス回路
１３  流量制御弁
２１  ケーシング
２２  隔壁
２３  圧縮機室
２４  膨張機室
３１  絞り装置
３２  熱交換器
３２ａ  高圧側経路
３２ｂ  中間圧側経路
３３  膨張機
３４  ガスインジェクション回路
【図１】
2006071257.tif 000003
【図２】
2006071257.tif 000004
【図３】
2006071257.tif 000005
【図４】
2006071257.tif 000006
【図５】
2006071257.tif 000007
【図６】
2006071257.tif 000008
【図７】
2006071257.tif 000009
【図８】
2006071257.tif 000010
【図９】
2006071257.tif 000011